(57)【要約】      （修正有）【課題】和室での室内干しや洋服を掛ける為に、丈夫であり尚且つ多くの洗濯物を干すことが出来るポールを設置するためのポール保持具を提供する。【解決手段】ポール保持具は、金属製板状部材の端部をコの字に折り曲げて形成され、長押２０上部に引っ掛け保持されるフック部１と、板状部材と一体に形成され、ポール受け面が長押の長手方向と直交するＵ字型のポール受け部５とを備え、ポール保持具を２個使用し、対面する長押に１個ずつ引っ掛けることにより、部屋の端から端までの長さのポール１０を保持することができる。長押２０と当接する部分４にクッション材６を貼りつけ、長押２０の和室側の面に傷がつくのを防止している。【選択図】図３
0003229862.tif 000002
【実用新案登録請求の範囲】
【請求項１】
金属製板状部材の端部をコの字に折り曲げて形成され、長押上部に引っ掛け保持されるフック部と、前記板状部材と一体に形成され、ポール受け面が前記長押の長手方向と直交するＵ字型のポール受け部とを備えてなるポール保持具。
【請求項２】
金属製板状部材を折り曲げて形成された端部平坦部に固定用穴を有し、かもい上部に前記平坦部を固定する固定部と、前記板状部材と一体に形成され、ポール受け面が前記かもいの長手方向と直交するＵ字型のポール受け部とを備えてなるポール保持具。
【請求項３】
板状部材の長押又はかもいと当接する面にクッション材を設けてなる請求項１又は２記載のポール保持具。
【考案の詳細な説明】
【技術分野】
【０００１】  本考案は、長押又はかもいに取り付けるポール保持具に関するものである。
【背景技術】
【０００２】  和室にて室内干しや洋服を掛ける為にポールを設置する専用のものとして、プラスチック素材のもので長押に引っ掛けて使用するポール受けがある。また、クローゼット等に使用されるポール保持具には、ネジで壁に穴を開けて固定するポール受けがあり、長押フックとしては、長押に引っ掛ける為のフック部と物を掛ける為のフック部が一体成型された金属製の長押フックが既存のものとして存在する。
【先行技術文献】
【０００３】
【非特許文献１】Ｇｏｏｇｌｅ検索『長押フレンド』（ｓｅｉｅｉ  長押フレンド  竿用  ２個組）
【０００４】
【非特許文献２】Ｇｏｏｇｌｅ検索『南海  Ｕ型パイプセット』（Ｕ型ソケット  ハンガーパイプセット用  ＨＰＣ−Ｕ３２Ｓ  南海プライウッド）
【０００５】
【非特許文献３】Ｇｏｏｇｌｅ検索『スガツネ  ステンレス  長押  フック』（スガツネ工業  ランプ印  ステンレス鋼製長押フック  ＲＮ−５０）
【０００６】
【非特許文献４】Ｇｏｏｇｌｅ検索『ルームクリップ  鴨居アイデア』（Ｒｏｏｍ  ｃｌｉｐ  ｒｉｎ．ｒａｎ．ｔａｋｅａｋａｒｉ  ２０１８／１／２０・２０１９／３／２９  投稿）
【考案の概要】
【考案が解決しようとする課題】
【０００７】  非特許文献１の長押フレンドはプラスチック素材の為耐荷重量に限界があり、多くの衣類を掛けることが出来ない。また、経年による劣化もみられる。非特許文献２のＵ型ソケットは長押又はかもいの見える部分に穴を開けてしまう。非特許文献３のステンレス鋼製長押フックは長押に２個引っ掛けて使用すればポールを保持することは出来るが、ポールは長押に平行かつ近接した位置に保持されることになり、窓や壁に衣類が当たる為乾きが悪かったり、窓や壁に衣類が接触して汚れてしまう。また、このステンレス鋼製長押フックは、本来の使い方としてポールを保持する為のものではない。非特許文献４は、既存のツインフック、サドル金具を組み合わせてポールを保持する形にしたものであり、本考案の前段階となる本人によるアイデアである。これは、長押に引っ掛ける引っ掛け部とポールを保持するための受け部が一体型ではないため、見た目にもよくない。また、設置するためにはそれぞれのパーツを買い求めなくてはならないとともに、設置にも手間がかかる。本考案はこれらの欠点を解決しようとするものである。
【課題を解決するための手段】
【０００８】  本考案は、多くの衣類等を窓や壁に接触することなく掛けられ、衣類等の密接も防止でき、使い勝手の優れたポール保持具を設置することを目的とする。【０００９】  本考案は、金属製板状部材の端部をコの字に折り曲げて形成され、長押上部に引っ掛け保持されるフック部と、前記板状部材と一体に形成され、ポール受け面が前記長押の長手方向と直交するＵ字型のポール受け部とを備えてなるポール保持具を提供する。【００１０】  本考案は、金属製板状部材を折り曲げて形成された端部平坦部に固定用穴を有し、かもい上部に前記平坦部を固定する固定部と、前記板状部材と一体に形成され、ポール受け面が前記かもいの長手方向と直交するＵ字型ポール受け部とを備えてなるポール保持具を提供する。【００１１】  本考案は、板状部材の長押又はかもいと当接する面にクッション材を設けてなる請求項１又は２記載のポール保持具を提供する。
【考案の効果】
【００１２】  上述のように、本考案のポール保持具を使用することにより、和室の端から端までの長さのポールを簡単に設置・撤去することが出来、壁や窓から離れたところにポールを設置出来る為、たくさんの衣類を掛けることが出来る。材質が金属製のため丈夫であり、多くの衣類を掛けることが出来、プラスチックのように劣化することなく半永久的に使用することが出来る。長押又はかもいに当接する部分にクッション材を設けることで、ポールを渡し衣類を掛けても長押又はかもいの見える部分を傷つける恐れがない。
【図面の簡単な説明】
【００１３】
【図１】長押に引っ掛けるフック部とポールを受けるソケット部が一体になった本考案の一実施例のポール保持具の斜視図である。
【図２】かもい上部にネジ等で固定する本考案の他の実施例のポール保持具の斜視図である。
【図３】図１の保持具にポールを保持した状態を示す図である。
【図４】図２の保持具にポールを保持した状態を示す図である。
【図５】図１の保持具にポールを保持して和室に設置した際の全体を表した図である。
【図６】非特許文献１の長押フレンド  竿用を示す図である。
【図７】非特許文献２のＵ型ソケット（ハンガーパイプセット用）ＨＰＣ−Ｕ３２Ｓ  南海プライウッドを示す図である。
【図８】非特許文献３のスガツネ工業  ランプ印  ステンレス鋼製長押フックＲＮ−５０を示す図である。
【図９】非特許文献４のＳＮＳ  Ｒｏｏｍ  ｃｌｉｐ  ｒｉｎ．ｒａｎ．ｔａｋｅａｋａｒｉ  ２０１８／１／２０・２０１９／３／２９の投稿を示す図である。
【考案を実施するための形態】
【実施例】
【００１４】  以下、添付図面に従って実施例を説明する。図１のポール保持具は、全体がステンレス等の金属製一体構造体より成り、コの字型に折り曲げ形成され長押上部に引っ掛けられるフック部１、長押へ当接する部分４、ポール１０の受け面を有するＵ字型のポール受け部５が形成されている。ポール受け部５のＵ字型のポール受け面は、和室に設けられている長押の長手方向と直交する向きに形成されている。【００１５】  図３は図１の保持具を長押２０に引っ掛けた状態を示し、長押２０に引っ掛けるだけで簡単に設置・撤去出来る。長押２０と当接する部分４にクッション材６を貼りつけ、長押２０の和室側の面に傷がつくのを防止している。【００１６】  本考案の他の実施例として図２に示すポール保持具は、図１のコの字型フック部１ではなく、折り曲げ形成された平坦部２をかもい３０の上部に固定する形状であり、平坦部２に形成された取り付け穴３を通じて図４に示すようにネジ等で固定して使用する。この図２の保持具は、かもいの上部にネジ等で固定するため、かもいの和室側の見える面をネジ等で傷つけることはない。【０００１７】  図５に示すように、図１のポール保持具２個を対面する長押２０に設置することにより、部屋の端から端までの長さのポール１０を保持することが出来る。長いポール１０に多くのハンガー等４０を設置出来、多くの洗濯物等を掛けることが出来る。また、本考案の保持具を用いると、部屋の高い位置に干すことが出来る為乾きが早く、置き型タイプの室内物干しに比べて、設置するのに場所を取らない。
【符号の説明】
【００１５】１  長押に引っ掛ける為のフック部
２  長押に引っ掛ける平坦部
３  ネジ等で固定するための穴
４  長押又はかもいに当接する部分
５  ポール保持部
６  長押に当接する部分のクッション材
１０  ポール
２０  長押
３０  かもい
４０  ハンガー等
【図１】
0003229862.tif 000003
【図２】
0003229862.tif 000004
【図３】
0003229862.tif 000005
【図４】
0003229862.tif 000006
【図５】
0003229862.tif 000007
【図６】
0003229862.tif 000008
【図７】
0003229862.tif 000009
【図８】
0003229862.tif 000010
【図９】
0003229862.tif 000011